【手続補正書】
【提出日】平成15年8月26日(2003.8.26)
【手続補正１】
【補正対象書類名】明細書
【補正対象項目名】発明の名称
【補正方法】変更
【補正の内容】
【発明の名称】周辺機器、情報処理システム、及び周辺装置の制御方法
【手続補正２】
【補正対象書類名】明細書
【補正対象項目名】特許請求の範囲
【補正方法】変更
【補正の内容】
【特許請求の範囲】
【請求項１】
ネットワークに直接接続された周辺装置であって、
ネットワークのプロトコルで構成された命令に応じて、前記周辺装置を制御するサーバを有することを特徴とする周辺装置。
【請求項２】
ネットワークのプロトコルで構成された命令に応じて、前記周辺装置を制御するサーバを具備し、
ネットワークを介して前記周辺装置に接続されたコンピュータのブラウザによって、前記周辺装置が直接制御されることを特徴とする周辺装置。
【請求項３】
ネットワークと直接接続される周辺装置であって、
前記ネットワークを介して接続されたコンピュータ内のブラウザによって、前記ネットワークのプロトコルで構成された命令により直接制御されるサーバを一体的に構成することを特徴とする周辺装置。
【請求項４】
請求項１乃至３のいずれか一記載の周辺装置であって、前記ネットワークのプロトコルはｈｔｔｐであることを特徴とする周辺装置。
【請求項５】
請求項１乃至３のいずれか一記載の周辺装置であって、前記サーバは、ブラウザからの要求様式に基づく命令に応答することを特徴とする周辺装置。
【請求項６】
請求項５記載の周辺装置であって、前記要求様式は、ユーザがブラウザを使って命令を入力することができることを特徴とする周辺装置。
【請求項７】
請求項１乃至６のいずれか一記載の周辺装置であって、前記サーバは、前記要求に応答して、データ供給源からデータを前記周辺装置に供給することを特徴とする周辺装置。
【請求項８】
請求項１乃至７のいずれか一記載の周辺装置は、カメラであることを特徴とする周辺装置。
【請求項９】
請求項８記載のカメラは、報道カメラであることを特徴とする周辺装置。
【請求項１０】
請求項８又は９記載のカメラは、デジタルカメラであることを特徴とする周辺装置。
【請求項１１】
請求項１乃至７のいずれか一記載の周辺装置は、スキャナであることを特徴とする周辺装置。
【請求項１２】
請求項１乃至７のいずれか一記載の周辺装置は、ファックスであることを特徴とする周辺装置。
【請求項１３】
請求項１乃至７のいずれか一記載の周辺装置は、ウェブ・キオスク（Web Kiosk）であることを特徴とする周辺装置。
【請求項１４】
請求項１乃至７のいずれか一記載の周辺装置は、データ蓄積装置であることを特徴とする周辺装置。
【請求項１５】
請求項１乃至７のいずれか一記載の周辺装置は、画像形成装置であることを特徴とする周辺装置。
【請求項１６】
請求項１５記載の画像形成装置は、プリンタであることを特徴とする周辺装置。
【請求項１７】
請求項１乃至７のいずれか一記載の周辺装置は、webサーバであることを特徴とする周辺装置。
【請求項１８】
ブラウザを有するクライアントコンピュータと、
ネットワークと、
前記ネットワークを介して、前記クライアントコンピュータと直接接続される周辺装置と、
で構成されるシステムにおける前記周辺装置であって、
ネットワークのプロトコルで構成された命令に応じて、前記周辺装置を制御するサーバを有し、
当該サーバは、前記ネットワークを介して接続された前記クライアントコンピュータ内のブラウザによって直接制御されることを特徴とする周辺装置。
【請求項１９】
ブラウザを有するクライアントコンピュータと、
ネットワークと、
前記ネットワークを介して、前記クライアントコンピュータと直接接続される周辺装置と、
で構成されるシステムにおける前記周辺装置であって、
ネットワークのプロトコルで構成された命令に応じて、前記周辺装置を制御するサーバを有し、
当該サーバは、
当該周辺装置を直接ネットワークに接続可能にするとともに、
前記ネットワークを介して接続された前記クライアントコンピュータ内のブラウザによって直接制御されることを特徴とする周辺装置。
【請求項２０】
コンピュータと、
ネットワークと、
前記ネットワークを介して、前記コンピュータと直接接続される周辺装置と、
で構成されるシステムにおける前記周辺装置であって、
ユーザが前記コンピュータを使って、特定する情報源とその位置とを表す記述子に基づいて複数の機能を実行する実行手段と、
ネットワークを介して、外部装置からの要求を送受信する送受信手段と、
前記実行手段と前記送受信手段とに接続され、前記実行手段が前記要求に基づいて直接制御されるように前記要求を変換するとともに、前記周辺装置をネットワークに直接接続可能にするサーバと、
を具備することを特徴とする周辺装置。
【請求項２１】
コンピュータと、
ネットワークと、
前記ネットワークを介して、前記コンピュータと接続される周辺装置と、
で構成される情報処理システムであって、
前記周辺装置は、
前記ネットワークのプロトコルで構成された命令に応じて、直接、前記周辺装置自身を制御するサーバを含むことを特徴とする情報処理システム。
【請求項２２】
ネットワークに直接接続された周辺装置を制御する方法であって、
前記周辺装置によって実行される操作を選択する識別子を指定し、
選択された前記識別子に応答して前記周辺装置への要求を生成し、
前記要求に基づき、前記周辺装置内にあるサーバが、前記周辺装置自身を直接制御することを特徴とする周辺装置の制御方法。
【手続補正３】
【補正対象書類名】明細書
【補正対象項目名】０００１
【補正方法】変更
【補正の内容】
【０００１】
【発明の属する技術分野】
本発明は、ワールド・ワイド・ウェブ（World-Wide Web）などの相互接続ネットワークとの組み合わせで使用される周辺装置の分野に係り、特に、ネットワーク上の文書へアクセスするために用いる既存のプロトコルを介して周辺装置を制御するための技術に関する。


【手続補正４】
【補正対象書類名】明細書
【補正対象項目名】００１２
【補正方法】変更
【補正の内容】
【００１２】
【課題を解決するための手段】
請求項１記載の発明は、ネットワークに直接接続された周辺装置であって、
ネットワークのプロトコルで構成された命令に応じて、前記周辺装置を制御するサーバを有することを特徴とする周辺装置である。
【手続補正５】
【補正対象書類名】明細書
【補正対象項目名】００１３
【補正方法】変更
【補正の内容】
【００１３】
請求項２記載の発明は、ネットワークのプロトコルで構成された命令に応じて、前記周辺装置を制御するサーバを具備し、ネットワークを介して前記周辺装置に接続されたコンピュータのブラウザによって、前記周辺装置が直接制御されることを特徴とする周辺装置である。
【手続補正６】
【補正対象書類名】明細書
【補正対象項目名】００１４
【補正方法】変更
【補正の内容】
【００１４】
請求項３記載の発明は、ネットワークと直接接続される周辺装置であって、前記ネットワークを介して接続されたコンピュータ内のブラウザによって、前記ネットワークのプロトコルで構成された命令により直接制御されるサーバを一体的に構成することを特徴とする周辺装置である。
【手続補正７】
【補正対象書類名】明細書
【補正対象項目名】００１５
【補正方法】変更
【補正の内容】
【００１５】
請求項１８記載の発明は、ブラウザを有するクライアントコンピュータと、ネットワークと、前記ネットワークを介して、前記クライアントコンピュータと直接接続される周辺装置と、で構成されるシステムにおける前記周辺装置であって、ネットワークのプロトコルで構成された命令に応じて、前記周辺装置を制御するサーバを有し、当該サーバは、前記ネットワークを介して接続された前記クライアントコンピュータ内のブラウザによって直接制御されることを特徴とする周辺装置である。
【手続補正８】
【補正対象書類名】明細書
【補正対象項目名】００１６
【補正方法】変更
【補正の内容】
【００１６】
請求項１９記載の発明は、ブラウザを有するクライアントコンピュータと、ネットワークと、前記ネットワークを介して、前記クライアントコンピュータと直接接続される周辺装置と、で構成されるシステムにおける前記周辺装置であって、ネットワークのプロトコルで構成された命令に応じて、前記周辺装置を制御するサーバを有し、当該サーバは、当該周辺装置を直接ネットワークに接続可能にするとともに、前記ネットワークを介して接続された前記クライアントコンピュータ内のブラウザによって直接制御されることを特徴とする周辺装置である。
請求項２０記載の発明は、コンピュータと、ネットワークと、前記ネットワークを介して、前記コンピュータと直接接続される周辺装置と、で構成されるシステムにおける前記周辺装置であって、ユーザが前記コンピュータを使って、特定する情報源とその位置とを表す記述子に基づいて複数の機能を実行する実行手段と、ネットワークを介して、外部装置からの要求を送受信する送受信手段と、前記実行手段と前記送受信手段とに接続され、前記実行手段が前記要求に基づいて直接制御されるように前記要求を変換するとともに、前記周辺装置をネットワークに直接接続可能にするサーバと、を具備することを特徴とする周辺装置である。
請求項２１記載の発明は、コンピュータと、ネットワークと、前記ネットワークを介して、前記コンピュータと接続される周辺装置と、で構成される情報処理システムであって、前記周辺装置は、前記ネットワークのプロトコルで構成された命令に応じて、直接、前記周辺装置自身を制御するサーバを含むことを特徴とする情報処理システムである。
請求項２２記載の発明は、ネットワークに直接接続された周辺装置を制御する方法であって、前記周辺装置によって実行される操作を選択する識別子を指定し、選択された前記識別子に応答して前記周辺装置への要求を生成し、前記要求に基づき、前記周辺装置内にあるサーバが、前記周辺装置自身を直接制御することを特徴とする周辺装置の制御方法である。